(57)【要約】      （修正有）【課題】バンドの張力回復作業の容易化を図ることができ、自然発生的なバンドの緩みを抑制できるものでありながら、部品点数の削減と構造の簡略化を達成できる農園芸用ハウスのシート押さえ装置を提供する。【解決手段】農園芸用ハウスのシート押さえ装置３は、ハウスの骨組みと、この骨組みによって保形されたシート２と、このシート２の下部を保持する保持具１７と、シート２の上に張設されるバンド４と、このバンド４が組み付けられて該バンド４の張力付与方向への引っ張りによって付与された張力を維持するとともに、バンド４の張力解除方向への引っ張りによって張力を解除できるバックル１９とを備えており、バックル１９が保持具１７に連結されている。【選択図】図１
0003167110.tif 000002
【実用新案登録請求の範囲】
【請求項１】
農園芸用ハウスの骨組みと、この骨組みによって保形されたシートと、このシートの下部を保持する保持具と、前記シートの上に張設されるバンドと、このバンドが組み付けられて該バンドの張力付与方向への引っ張りによって付与された張力を維持するとともに、バンドの張力解除方向への引っ張りによって張力を解除できるバックルとを備えてなる農園芸用ハウスのシート押さえ装置において、
前記バックルが前記保持具に連結されていることを特徴とする農園芸用ハウスのシート押さえ装置。
【請求項２】
請求項１に記載した農園芸用ハウスのシート押さえ装置において、
前記保持具は、正面に開口部を有し、背壁の上縁部に前記開口部に向かう下向きの湾曲凹部が設けられ、かつ、背壁の下縁部に前記開口部に向かい下向きの湾曲凹部に対向する上向きの湾曲凹部を設けた略チャネル形の第１部材と、波の山部と波の谷部とが稜線を介して互いに連続する金属線材からなる波形の第２部材とを備えてなる農園芸用ハウスのシート押さえ装置。
【請求項３】
請求項１または請求項２に記載した農園芸用ハウスのシート押さえ装置において、
前記バックルは、水平な第１横棒を上端に配し、かつ、該横棒の両端部から鉛直下向きに延設された左右一対の脚部を備えた門形の固定部材と、この門形の固定部材の一対の脚部に昇降自在に架設されて互いの対向間隔が弾性拡縮可能な上下一対の第２横棒と第３横棒を有する金属線材からなるフォーク形の可動部材とを備えており、左右一対の脚部それぞれの下端部近傍に前記第１部材の下向きの湾曲凹部に係合可能な係止段部が後方、かつ、斜め上向きに突設され、左右一対の脚部それぞれの下端部に前記第１部材の上向きの湾曲凹部に係合可能な係止部が形成されてなる農園芸用ハウスのシート押さえ装置。
【考案の詳細な説明】
【技術分野】
【０００１】
本考案は、農園芸用ハウスのシート押さえ装置に係り、より詳しくは、農園芸用ハウスの骨組みによって保形されたシートの形崩れなどを防ぐために用いられるシート押さえ装置に関する。
【背景技術】
【０００２】
図７に概略で示したように、農園芸用ハウスは、所定の形状に組まれた骨組み１の上に塩化ビニル樹脂シートなどのシート２を張設することによって作られている。このような農園芸用ハウスにおいて、風に煽られてシート２がばたついたり形崩れしたりすることを防ぐためにシート押さえ装置３が用いられる。シート押さえ装置３は、シート２の上部から側部にわたる部分を囲むようにシート２の上に張設された紐や縄などのバンド４と、シート２の下端部外側に位置して多数のアンカ５によって支えられた金属製のシャフトやパイプからなる連結棒６とを備えていて、バンド４の端部を連結棒６に縛り付けることにより、バンド４に所定の張力を付与して連結棒６に連結している。なお、図７において、７は連結棒６にバンド４を縛ることで形成された結び目を示している。
【０００３】
農園芸用ハウスでは、経時による自然発生的なバンド４の緩みを回避することができない。そのため、バンド４が緩んだ場合には、バンド４の張力回復作業がなされる。ところが、この張力回復作業は、連結棒６へのバンド４の結び目７を解いたのちに、バンド４を引っ張って所定の張力を付与し、この張力を維持した状態でバンド４を連結棒６に縛りつけて結び目７を形成する煩雑なものである。
【０００４】
そこで、本願出願人は、帯状のバンド４を連結棒６に連結し、この帯状のバンド４の端部を後述するクランパを用いて保持するようにして、張力回復作業の簡略化を図るとともに、自然発生的なバンド４の緩みを抑制できる農園芸用ハウスのシート押さえ装置を提供している（特許文献１参照）。
【０００５】
前記特許文献１に記載のシート押さえ装置３は、図８に示すように、帯状のバンド４と金属製のシャフトやパイプなどの連結棒６とクランパ８とからなり、クランパ８は、矩形の２つの環体９，１０を帯輪１１によって重なり状態のままスライド可能に連結したものである。そして、２つの環体９，１０をスライドさせて位置ずれさせることにより形成される３つの開口１２，１３，１４に、ループ状に折り返すことにより連結棒６に連結される輪部１５を形成したバンド４の２枚重ね部１６を蛇行させてスライド自在に挿通した状態で該バンド４の端部を上方へ引っ張ってバンド４に張力を付与すると、３つの開口１２，１３，１４に挿通されている２枚重ね部１６が滑らないようにクランパ８によって固定される。また、３つの開口１２，１３，１４に蛇行状に挿通されているバンド４の２枚重ね部１６を緩めて、該２枚重ね部１６を滑らせることによってバンド４に付与されている張力を解除してバンド４を緩ませることができる。これにより、バンド４を連結棒６に縛りつけたり、結び目７を解いてバンド４を緩めたりする煩雑な作業が不要になって、張力回復作業の簡略化を図るとともに、自然発生的なバンド４の緩みを抑制することができる。
【先行技術文献】
【特許文献】
【０００６】
【特許文献１】実用新案登録３０９７８５０
【考案の概要】
【考案が解決しようとする課題】
【０００７】
ところが、前記従来のシート押さえ装置３は、金属製のシャフトやパイプからなる連結棒６や、この連結棒６を支える多数のアンカ５などの部品を別途必要とするので、部品点数が多くなり、それに伴って構造が複雑になる問題点を有している。
【０００８】
そこで、本願出願人は、農園芸用ハウスにおけるシート２の両側下端部が保持具によって保持されている点に着目し、この保持具を活用するとともに、この保持具に連結可能なバックルを使用し、該バックルを介して保持具にバンドを連結することによって、バンドの張力回復作業の容易化を図ることができ、自然発生的なバンドの緩みを抑制できるものでありながら、部品点数の削減と構造の簡略化を達成できる農園芸用ハウスのシート押さえ装置を完成するに至った。
【０００９】
すなわち、本考案は上記の実情に鑑みてなされたものであって、バンドの張力回復作業の作業の容易化を図ることができ、自然発生的なバンドの緩みを抑制できるものでありながら、部品点数の削減と構造の簡略化を達成できる農園芸用ハウスのシート押さえ装置の提供を目的とするものである。
【課題を解決するための手段】
【００１０】
前記目的を達成するために、本考案に係る農園芸用ハウスのシート押さえ装置は、農園芸用ハウスの骨組みと、この骨組みによって保形されたシートと、このシートの下部を保持する保持具と、前記シートの上に張設されるバンドと、このバンドが組み付けられて該バンドの張力付与方向への引っ張りによって付与された張力を維持するとともに、バンドの張力解除方向への引っ張りによって張力を解除できるバックルと、を備えてなる農園芸用ハウスのシート押さえ装置において、
前記バックルが前記保持具に連結されていることを特徴としている。
【００１１】
前記構成の農園芸用ハウスのシート押さえ装置によると、バンドはバックルを介して保持具に連結されるので、従来のシート押さえ装置で必要とされていた連結棒や該連結棒を支える多数のアンカなどの部品が不要になり、部品点数の削減と構造の簡略化を達成できる。また、バンドの張力回復作業に含まれる張力付与や張力解除は、バックルに組み付けられているバンドの張力付与方向への引っ張りや張力解除方向への引っ張りによって容易になされるので、従来のシート押さえ装置の張力回復作業に含まれていたバンドを連結棒に縛りつけたり、結び目を解いてバンドを緩めたりする煩雑な手間が不要になって、張力回復作業の容易化を図ることができるとともに、自然発生的なバンドの緩みを抑制することもできる。
【００１２】
本考案に係る農園芸用ハウスのシート押さえ装置の保持具は、正面に開口部を有し、背壁の上縁部に前記開口部に向かう下向きの湾曲凹部が設けられ、かつ、背壁の下縁部に前記開口部に向かい下向きの湾曲凹部に対向する上向きの湾曲凹部を設けた略チャネル形の第１部材と、波の山部と波の谷部とが稜線を介して互いに連続する金属線材からなる波形の第２部材とを備えている。
【００１３】
これによれば、前記シートの下端側を第１部材の背壁の外面に沿って下降させて上向きの湾曲凹部の外面を被覆するのに続いて、開口部から上向きの湾曲凹部に装入し、ついで、背壁の内面に沿って立ち上げて下向きの湾曲凹部に装入し、さらに、開口部から導出したのちに、第２部材の波の山部を第１部材の下向きの湾曲凹部に嵌め込み、かつ、第２部材の波の谷部を第１部材の上向きの湾曲凹部に嵌め込んでなされる第１部材への第２部材の内装により、シートの下端側を上向きの湾曲凹部の内面と波の谷部によって挟着し、かつ、下向きの湾曲凹部の内面と波の山部によって挟着するとともに、稜線によって背壁の内面に押し付けた状態でシートを強固に保持することができる。
【００１４】
本考案に係る農園芸用ハウスのシート押さえ装置のバックルは、水平な第１横棒を上端に配し、かつ、該横棒の両端部から鉛直下向きに延設された左右一対の脚部を備えた門形の固定部材と、この門形の固定部材の一対の脚部に昇降自在に架設されて互いの対向間隔が弾性拡縮可能な上下一対の第２横棒と第３横棒を有する金属線材からなるフォーク形の可動部材とを備えており、左右一対の脚部それぞれの下端部近傍に前記第１部材の下向きの湾曲凹部に係合可能な係止段部が後方、かつ、斜め上向きに突設され、左右一対の脚部それぞれの下端部に前記第１部材の上向きの湾曲凹部に係合可能な係止部が形成されている。
【００１５】
これによると、バックルに突設した左右一対の係止段部を第１部材の下向きの湾曲凹部に係合するとともに、バックルに形成した左右一対の係止部を第１部材の上向きの湾曲凹部に係合することによって、バックルが保持具に容易、かつ、強固に連結される。
【００１６】
また、バンドの垂下部を、第１横棒の後側を通し、かつ第３横棒の後側に沿って下側から巻き掛け部として上向きに巻き掛け、ここから上向きに反転させて反転部を形成し、この上向き反転部の上端を、第２横棒の前側に沿って上側から方向転換部として後向きに巻き掛け、この方向転換部の後端部を第１横棒の後側で前記垂下部の前面に沿って立ち上げたのち、前向き、かつ、下向きに湾曲させてループ部を形成し、このループ部の前側根元部を、第２横棒の後側に沿って下側から前向きに巻き掛けて、前記方向転換部の上に積層部として重ねるとともに、該積層部の先端部を摘み部としてバックルの前方に延出することで、ループ部の前側根元部と後側根元部が第１横棒とバンドの垂下部の間に介在した状態で、バンドにバックルを組み付けることができる。
【００１７】
さらに、前記ループ部の引っ張りによる該ループ部の立ち上がり量の増大でバンドに張力が付与され、この付与された張力は、ループ部の立ち上がり量の増大に追従する可動部材の引き上げにより第２横棒と固定部材の第１横棒との協働で前記後向きの方向転換部の一部とこの方向転換部の上に重なる前記積層部の一部が挟圧されることと、この挟圧時に弾性縮小して第２横棒との対向間隔が狭められた第３横棒に巻き掛けられている前記巻き掛け部が第３横棒の弾性復元力により第２横棒から離反する方向に付勢されることによって維持され、前記摘み部の引っ張りによる前記ループ部の立ち上がり量の減少でバンドに付与された張力が解除され、かつ、ループ部の消失でバンドへのバックルの組み付けが解除される。つまり、バンドの張力回復作業に含まれる張力付与や張力解除が容易になる。
【考案の効果】
【００１８】
本考案に係る農園芸用ハウスのシート押さえ装置は、バンドがバックルを介して保持具に連結されるので、従来必要とされていた部品が不要になるから、部品点数の削減と構造の簡略化を達成できる。また、バンド張力回復作業に含まれるの張力付与や張力解除は、バックルに組み付けられているバンドの張力付与方向への引っ張りや張力解除方向への引っ張りによって容易になされるので、張力回復作業の容易化を図ることができるとともに、自然発生的なバンドの緩みを抑制することもできる。
【図面の簡単な説明】
【００１９】
【図１】本考案に係る農園芸用ハウスのシート押さえ装置の一実施形態を一部破断して部分的に示す正面図である。
【図２】図１のＩＩ−ＩＩ線に沿う拡大断面図である。
【図３】バックルの一実施形態を示す示す正面図である。
【図４】図３の平面図である。
【図５】バンドの緊張状態を拡大して示す縦断側面図である。
【図６】バンドの弛緩状態を拡大して示す縦断側面図である。
【図７】農園芸用ハウスの部分斜視図である。
【図８】従来例の斜視図である。
【考案を実施するための形態】
【実施例】
【００２０】
以下、本考案に係る農園芸用ハウスのシート押さえ装置の好ましい実施形態を図面に基づいて説明する。
図１は本考案に係る農園芸用ハウスのシート押さえ装置の一実施形態を一部破断して部分的に示す正面図、図２は図１のＩＩ−ＩＩ線に沿う拡大断面図、図３はバックルの一実施形態を示す示す正面図、図４は図３の平面図、図５はバンドの緊張状態を拡大して示す縦断側面図、図６はバンドの弛緩状態を拡大して示す縦断側面図である。
【００２１】
図１，図２において、農園芸用ハウスのシート押さえ装置３は、農園芸用ハウスの骨組み１（図７参照）と該骨組１みによって保形されているシート２と、このシート２の下部を保持する保持具１７と、シート２の上に張設されるバンド４と、このバンド４が組み付けられて該バンド４の張力付与方向への引っ張り（図５の矢印Ｕ）によって付与された張力を維持するとともに、バンドの張力解除方向への引っ張り（図５の矢印Ｐ）によって張力を解除できるバックル１９とを備えており、このバックル１９が保持具１７に連結されている。
【００２２】
図１において、バンド４は５ｃｍ程度の幅寸法を有する帯状樹脂製のもので、幅方向で等間隔を有して互いに平行する複数の線条４ａが形成されており、線条４ａの形成部位の肉厚は他の部位よりも少し厚くなっていて、この線条４ａがバンド４の特に長手方向の伸縮を抑制するように働く。
【００２３】
図１，図２において、保持具１７は金属製のもので、略チャネル形の第１部材２０と、樹脂被覆された金属線材からなる波形の第２部材２１とを備えており、第１部材２０は、正面に開口部２０ａを有し、この開口部２０ａよりも高さ寸法が十分に大きい背壁２０ｂの上縁部に開口部２０ａに向かう下向きの湾曲凹部２０ｃが設けられ、かつ、背壁２０ｂの下縁部に開口部２０ａに向かい下向きの湾曲凹部２０ｃに対向する上向きの湾曲凹部２０ｄを設けてある。そして、第２部材２１は、波の平坦な山部２１ａと波の平坦な谷部２１ｂとが稜線２１ｃを介して互いに連続している。
【００２４】
図１〜図６において、バックル１９は、金属線材を折り曲げることによって構成された門形の固定部材２２およびフォーク形の可動部材２３とを備えている。固定部材２２は、水平な第１横棒２２ａを上端に配し、かつ、該第１横棒２２ａの両端部から鉛直下向きに延設された左右一対の脚部２２ｂを有しており、各脚部２２ｂそれぞれの下端部近傍に前記第１部材２０の下向きの湾曲凹部２０ｃに係合可能な係止段部２２ｃが後方、かつ、斜め上向きに突設され、各脚部２２ｂそれぞれの下端部には、第１部材２０の上向きの湾曲凹部２０ｄに係合可能な係止部２２ｄが幅方向の外側、かつ、斜め上向きに折り曲げて形成されている。
【００２５】
一方、フォーク形の可動部材２３は、上下一対の第２横棒２３ａと第３横棒２３ｂとを有し、それらの基端部は、連結部２３ｃを介して互いに連結されているとともに、後向き、かつ、先端側に向けて折り曲げられて、左右一対の脚部２２ｂにおける右側の脚部２２ｂに昇降自在に係合される第１係合部２３ｄが設けられている。また、第２横棒２３ａと第３横棒２３ｂそれぞれの先端部には、後向きにカールされて、左右一対の脚部２２ｂにおける左側の脚部２２ｂに昇降自在に係合される第２係合部２３ｅを設けてある。したがって、第１係合部２３ｄを右側の脚部２２ｂに係合し、第２係合部２３ｅを左側の脚部２２ｂに係合することで、可動部材２３は、固定部材２２の前側で該固定部材２２の左右一対の脚部２２ｂに昇降自在、つまり、固定部材２２の第１横棒２２ａに対して接近離反自在に架設されることになる。
【００２６】
他方、フォーク形の可動部材２３の第２横棒２３ａと第３横棒２３ｂは、互いの対向間隔ｗ（図１，図３参照）が基端側から先端側に向かって少し大きくなる勾配が付与された自然状態を呈しているとともに、第２横棒２３ａと第３横棒２３ｂそれぞれが保有している弾性により、自然状態からの前記対向間隔ｗの弾性拡縮および弾性拡縮状態からの自然状態への弾性復元が可能となっている。
【００２７】
つぎに、前記構成の農園芸用ハウスのシート押さえ装置３の作用およびバンド４を張設する手順の一例について説明する。
【００２８】
まず、骨組み１によって保形されたシート２（図７参照）の図１，図２で示す下端側２ａを、保持具１７における第１部材２０の背壁２０ｂの外面（図２の右面）に沿って下降させて上向きの湾曲凹部２０ｄの外面を被覆し、これに続いて、開口部２０ａから上向きの湾曲凹部２０ｄに装入する。ついで、背壁２０ｂの内面（図２の左面）に沿って立ち上げて下向きの湾曲凹部２０ｃに装入し、さらに、開口部２０ａから導出したのちに、第２部材２１の波の平坦な山部２１ａを第１部材２０の下向きの湾曲凹部２０ｃに嵌め込み、かつ、第２部材２１の波の平坦な谷部２１ｂを第１部材２０の上向きの湾曲凹部２０ｄに嵌め込んでなされる第１部材２０への第２部材２１の内装により、シート２の下端側２ａを上向きの湾曲凹部２０ｄの内面と波の平坦な谷部２１ｂによって挟着し、かつ、下向きの湾曲凹部２０ｃの内面と波の平坦な山部２１ａによって挟着するとともに、稜線２１ｃによって背壁２０ｂの内面に押し付けた状態で、シート２の下端側２ａを保持具１７によって強固に保持する。
【００２９】
一方、バックル１９における固定部材２２の左右一対の脚部２２ｂのそれぞれに突設した後方、かつ、斜め上向きの係止段部２２ｃを、図２に示すように、保持具１７における第１部材２０の下向きの湾曲凹部２０ｃに下側から係合するとともに、前記左右一対の脚部２２ｂそれぞれの下端部に幅方向の外側、かつ、斜め上向きに折り曲げて形成されている係止部２２ｄを保持具１７における第１部材２０の上向きの湾曲凹部２０ｄに下側から係合することによって、バックル１９が保持具１７に容易、かつ、強固に連結される。
【００３０】
ここで、図１，図５に示すように、バンド４の垂下部４ｂを、バックル１９における固定部材２２の第１横棒２２ａの後側を通し、かつ可動部材２３の第３横棒２３ｂの後側に沿って下側から巻き掛け部２４として上向きに巻き掛け、ここから上向きに反転させて反転部２５を形成し、この上向き反転部２５の上端を、可動部材２３の第２横棒２３ａの前側に沿って上側から方向転換部２６として後向きに巻き掛け、この方向転換部２６の後端部を第１横棒２２ａの後側で垂下部４ｂの前面に沿って立ち上げたのち、前向き、かつ、下向きに湾曲させてループ部２７を形成し、このループ部２７の前側根元部を、第２横棒２３ａの後側に沿って下側から前向きに巻き掛けて、方向転換部２６の上に積層部２８として重ねるとともに、該積層部２８の先端部を摘み部２８ａとしてバックル１９の前方に延出することで、ループ部２７の前側根元部と後側根元部が第１横棒２２ａとバンド４の垂下部４ｂの間に介在した状態で、バンド４にバックル１９が組み付けられる。
【００３１】
このように、バンド４にバックル１９が組み付けられ、このバックル１９が保持具１７に連結されている状態で、ループ部２７を図５の矢印Ｕで示すバンド４の張力付与方向への引っ張ることによって、ループ部２７の立ち上がり量を増大させることでバンド４に張力が付与される。そして、付与された張力は、ループ部２７の立ち上がり量の増大に追従する可動部材２３の引き上げにより、第２横棒２３ａと固定部材２２の第１横棒２２ａとの協働で、後向きの方向転換部２６の一部とこの方向転換部２６の上に重なる積層部２８の一部が挟圧されることと、この挟圧時に弾性縮小して第２横棒２３ａとの対向間隔ｗが狭められた第３横棒２３ｂに巻き掛けられている巻き掛け部２４が第３横棒２３ｂの弾性復元力により第２横棒２３ａから離反する方向に付勢されることによって維持される。
【００３２】
また、摘み部２８ａを図５の矢印Ｐで示すバンド４の張力解除方向への引っ張りにより積層部２８を引き出すと、図６のように、ループ部２７の立ち上がり量が減少して、バンド４に付与された張力が解除され、摘み部２８ａの張力解除方向へのさらなる引っ張りによって、ループ部２７を消失させることで、バンド４へのバックル１９の組み付けを解除することができるので、バンド４の張力回復作業に含まれる張力付与や張力解除が容易になる。
【００３３】
以上の説明で明らかなように、本考案に係る農園芸用ハウスのシート押さえ装置３は、バンド４がバックル１９を介して保持具１７に連結されるので、従来のシート押さえ装置で必要とされていた金属製のシャフトやパイプからなる連結棒６や該連結棒６を支える多数のアンカ５などの部品（図７，図８参照）が不要になり、部品点数の削減と構造の簡略化を達成できる。
【００３４】
また、バンド４の張力回復作業に含まれる張力付与や張力解除は、バックル１９に組み付けられているバンド４の張力付与方向への引っ張りや張力解除方向への引っ張りによって容易になされるので、図７に示した従来のシート押さえ装置の張力回復作業に含まれていたバンド４を連結棒６に縛りつけたり、結び目７を解いてバンド４を緩めたりする煩雑な手間が不要になって、張力回復作業の容易化を図ることができるとともに、自然発生的なバンド４の緩みを抑制することもできる。
【産業上の利用可能性】
【００３５】
農園芸用ハウスのシート押さえ装置は、所定の形状に組まれた骨組みの上に塩化ビニル樹脂シートなどのシートを張設することによって作られている農園芸用ハウスにおいて、風に煽られてシートがばたついたり形崩れしたりすることを防ぐために用いられる。
【符号の説明】
【００３６】
１  骨組み
２  シート
３  シート押さえ装置
４  バンド
１７  保持具
１９  バックル
２０  略チャネル形の第１部材
２０ａ  開口部
２０ｂ  背壁
２０ｃ  下向きの湾曲凹部
２０ｄ  上向きの湾曲凹部背壁
２１  波形の第２部材
２１ａ  波の山部
２１ｂ  波の谷部
２１ｃ  稜線
２２  門形の固定部材
２２ａ  第１横棒
２２ｂ  一対の脚部
２２ｃ  係止段部
２２ｄ  係止部
２３  フォーク形の可動部材
２３ａ  第２横棒
２３ｂ  第３横棒
【図１】
0003167110.tif 000003
【図２】
0003167110.tif 000004
【図３】
0003167110.tif 000005
【図４】
0003167110.tif 000006
【図５】
0003167110.tif 000007
【図６】
0003167110.tif 000008
【図７】
0003167110.tif 000009
【図８】
0003167110.tif 000010